(57)【要約】【課題】セグメント単位インターリーブを行う場合であっても伝送特性を改善可能とする。【解決手段】１つの放送チャンネルの周波数帯を複数のセグメントに分割して用いるデジタル放送システムにおける送信装置は、インターリーブ前のセグメント番号に対するインターリーブ後のセグメント番号の対応関係を規定するインターリーブテーブルに従って、１以上の階層のデータをセグメント単位でインターリーブするセグメント単位インターリーブ部１６１と、１又は複数のシンボルからなる時間単位ごとに、セグメント単位インターリーブ部１６１が用いるインターリーブテーブルを切り替えるインターリーブテーブル切替部１６２とを備える。【選択図】図３
2019201407.tif 000002
【特許請求の範囲】
【請求項１】
１つの放送チャンネルの周波数帯を複数のセグメントに分割して用いるデジタル放送システムにおける送信装置であって、
セグメント単位での周波数インターリーブを行うとき、インターリーブ前のセグメント番号に対するインターリーブ後のセグメント番号の対応関係を、１又は複数のシンボルからなる時間単位ごとに切り替えることを特徴とする送信装置。
【請求項２】
インターリーブ前のセグメント番号に対するインターリーブ後のセグメント番号の対応関係を規定するインターリーブテーブルに従って、１以上の階層のデータをセグメント単位でインターリーブするセグメント単位インターリーブ部と、
前記時間単位ごとに、前記セグメント単位インターリーブ部が用いる前記インターリーブテーブルを切り替えるインターリーブテーブル切替部と、を備えることを特徴とする請求項１に記載の送信装置。
【請求項３】
前記対応関係として互いに異なる対応関係を規定する複数のインターリーブテーブルを保持するインターリーブテーブル保持部をさらに備え、
前記インターリーブテーブル切替部は、前記複数のインターリーブテーブルの中から、前記セグメント単位インターリーブ部が用いる前記インターリーブテーブルを前記時間単位ごとに切り替えることを特徴とする請求項２に記載の送信装置。
【請求項４】
前記対応関係を規定する基本インターリーブテーブルを保持するインターリーブテーブル保持部をさらに備え、
前記インターリーブテーブル切替部は、前記基本インターリーブテーブルを巡回シフトすることにより、前記セグメント単位インターリーブ部が用いる前記インターリーブテーブルを前記時間単位ごとに切り替えることを特徴とする請求項２に記載の送信装置。
【請求項５】
前記インターリーブテーブル切替部は、ＯＦＤＭフレームの先頭のタイミングにおいて、前記セグメント単位インターリーブ部が用いる前記インターリーブテーブルを初期化することを特徴とする請求項２乃至４のいずれか１項に記載の送信装置。
【請求項６】
前記時間単位ごとにセグメント単位で巡回シフトを行う巡回シフトインターリーブ部を備えることを特徴とする請求項１に記載の送信装置。
【請求項７】
１つの放送チャンネルの周波数帯を複数のセグメントに分割して用いるデジタル放送システムにおける受信装置であって、
セグメント単位での周波数デインターリーブを行うとき、デインターリーブ前のセグメント番号に対するデインターリーブ後のセグメント番号の対応関係を、１又は複数のシンボルからなる時間単位ごとに切り替えることを特徴とする受信装置。
【請求項８】
デインターリーブ前のセグメント番号に対するデインターリーブ後のセグメント番号の対応関係を規定するデインターリーブテーブルに従って、１以上の階層のデータをセグメント単位でデインターリーブするセグメント単位デインターリーブ部と、
前記時間単位ごとに、前記セグメント単位デインターリーブ部が用いる前記デインターリーブテーブルを切り替えるデインターリーブテーブル切替部と、を備えることを特徴とする請求項７に記載の受信装置。
【請求項９】
前記対応関係として互いに異なる対応関係を規定する複数のデインターリーブテーブルを保持するデインターリーブテーブル保持部をさらに備え、
前記デインターリーブテーブル切替部は、前記複数のデインターリーブテーブルの中から、前記セグメント単位デインターリーブ部が用いる前記デインターリーブテーブルを前記時間単位ごとに切り替えることを特徴とする請求項８に記載の受信装置。
【請求項１０】
前記対応関係を規定する基本デインターリーブテーブルを保持するデインターリーブテーブル保持部をさらに備え、
前記デインターリーブテーブル切替部は、前記基本デインターリーブテーブルを前記時間単位ごとに巡回シフトすることにより、前記セグメント単位デインターリーブ部が用いる前記デインターリーブテーブルを前記時間単位ごとに切り替えることを特徴とする請求項８に記載の受信装置。
【請求項１１】
前記デインターリーブテーブル切替部は、ＯＦＤＭフレームの先頭のタイミングにおいて、前記セグメント単位デインターリーブ部が用いる前記デインターリーブテーブルを初期化することを特徴とする請求項８乃至１０のいずれか１項に記載の受信装置。
【請求項１２】
前記時間単位ごとにセグメント単位で巡回シフトを行う巡回シフトデインターリーブ部を備えることを特徴とする請求項７に記載の受信装置。
【発明の詳細な説明】
【技術分野】
【０００１】
本発明は、１つの放送チャンネルの周波数帯を複数のセグメントに分割して用いるデジタル放送システムにおける送信装置及び受信装置に関する。
【背景技術】
【０００２】
日本の現行の地上デジタル放送伝送方式として、「ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）」が用いられている（例えば、非特許文献１参照）。ＩＳＤＢ−Ｔでは、１つの放送チャンネルの周波数帯を１３セグメントに分割し、変調方式・誤り訂正方式をセグメントごとに変更可能とすることにより、１つの放送チャンネル内で移動受信用や固定受信用等の様々な用途に対応可能としている。
【０００３】
なお、１つのセグメントは複数のキャリアにより構成される。また、同一の変調方式・誤り訂正方式等が適用されるセグメント群は階層と称され、最大で３階層（Ａ階層、Ｂ階層、Ｃ階層）での伝送が可能である。一般的に、１３セグメントのうち中央の１セグメントの帯域（部分受信帯域）を移動受信用に割り当て、残りの１２セグメントの帯域（非部分受信帯域）を固定受信用に割り当てている。
【０００４】
一方、現行の地上デジタル放送伝送方式に代わる次世代の地上デジタル放送伝送方式の検討が進められている。次世代の地上デジタル放送伝送方式では、現行の地上デジタル放送伝送方式と同様に、１つの放送チャンネルで移動受信用データ（Ａ階層データ）及び固定受信用データ（Ｂ階層データ）を伝送することが想定されており、１つの放送チャンネルを例えば３５セグメントに分割し、中央の９セグメントの帯域を部分受信帯域として、移動受信用データ（Ａ階層データ）を伝送する方式が検討されている。この場合、残りの２６セグメントが非部分受信帯域となる。
【先行技術文献】
【非特許文献】
【０００５】
【非特許文献１】ＡＲＩＢ  ＳＴＤ−Ｂ３１  「地上デジタルテレビジョン放送の伝送方式」
【発明の開示】
【発明が解決しようとする課題】
【０００６】
次世代の地上デジタル放送伝送方式において部分受信を行う場合、Ａ階層のセグメント数は１〜９セグメントの中から選択できることが想定されている。また、２階層の伝送を行う場合であって、Ａ階層のセグメント数が９に満たない場合には、部分受信帯域内の残りのセグメントはＢ階層に割り当てられる。例えば、Ａ階層のセグメント数が３である場合、部分受信帯域内には６セグメント分のＢ階層が含まれる。かかる場合、部分受信帯域内にＡ階層及びＢ階層が混在することになる。
【０００７】
本出願人は、かかる前提下において適切な周波数インターリーブを実現可能とする発明について特許出願を行っている（特願２０１７−２０９０６４号）。かかる特許出願には、部分受信帯域内における周波数インターリーブとして、セグメント間インターリーブ及びセグメント単位インターリーブを、Ａ階層及びＢ階層のＳＰ（Ｓｃａｔｔｅｒｅｄ  Ｐｉｌｏｔ）パターンなどに応じて使い分けることが記載されている。具体的には、セグメント間インターリーブは、部分受信帯域内のＡ階層及びＢ階層のＳＰパターンが同じ場合や、部分受信帯域内にＡ階層のみが含まれる場合に適用される。セグメント単位インターリーブは、部分受信帯域内のＡ階層及びＢ階層のＳＰパターンが異なる場合に適用される。
【０００８】
部分受信帯域内にＡ階層及びＢ階層が混在する場合において、セグメント間インターリーブは、Ａ階層及びＢ階層の全セグメントにわたってキャリア単位でインターリーブするものである。このため、例えばＡ階層が１セグメントのみの場合でも、部分受信帯域の９セグメント内にＡ階層のキャリアが分散されるため、９セグメント帯域に広帯域化した効果が得られる。これにより、特定の周波数領域のみ歪の影響をうける周波数選択性フェージングなどの影響を緩和できるため、伝送特性を改善できる。
【０００９】
一方、セグメント単位インターリーブは、インターリーブ前のセグメント番号に対するインターリーブ後のセグメント番号の対応関係を規定するインターリーブテーブルに従って、Ａ階層及びＢ階層をセグメント単位でインターリーブするものである。このため、例えばＡ階層が１セグメントのみの場合、９セグメント内の固定の１セグメントしか使用されない。すなわち、Ａ階層が同じセグメント番号のセグメントを使用し続ける。よって、セグメント単位インターリーブは、９セグメント帯域に広帯域化した効果が得られず、セグメント間インターリーブに比べて伝送特性の改善効果が小さいという問題がある。
【００１０】
そこで、本発明は、セグメント単位インターリーブを行う場合であっても伝送特性を改善可能とする送信装置及び受信装置を提供することを目的とする。
【課題を解決するための手段】
【００１１】
第１の特徴に係る送信装置は、１つの放送チャンネルの周波数帯を複数のセグメントに分割して用いるデジタル放送システムにおける送信装置であって、セグメント単位での周波数インターリーブを行うとき、インターリーブ前のセグメント番号に対するインターリーブ後のセグメント番号の対応関係を、１又は複数のシンボルからなる時間単位ごとに切り替えることを要旨とする。
【００１２】
第１の特徴に係る送信装置において、インターリーブ前のセグメント番号に対するインターリーブ後のセグメント番号の対応関係を規定するインターリーブテーブルに従って、１以上の階層のデータをセグメント単位でインターリーブするセグメント単位インターリーブ部と、１又は複数のシンボルからなる時間単位ごとに、前記セグメント単位インターリーブ部が用いる前記インターリーブテーブルを切り替えるインターリーブテーブル切替部とを備えてもよい。
【００１３】
第１の特徴に係る送信装置において、前記対応関係として互いに異なる対応関係を規定する複数のインターリーブテーブルを保持するインターリーブテーブル保持部をさらに備え、前記インターリーブテーブル切替部は、前記複数のインターリーブテーブルの中から、前記セグメント単位インターリーブ部が用いる前記インターリーブテーブルを前記時間単位ごとに切り替えてもよい。
【００１４】
第１の特徴に係る送信装置において、前記対応関係を規定する基本インターリーブテーブルを保持するインターリーブテーブル保持部をさらに備え、前記インターリーブテーブル切替部は、前記基本インターリーブテーブルを巡回シフトすることにより、前記セグメント単位インターリーブ部が用いる前記インターリーブテーブルを前記時間単位ごとに切り替えてもよい。
【００１５】
第１の特徴に係る送信装置において、前記インターリーブテーブル切替部は、ＯＦＤＭフレームの先頭のタイミングにおいて、前記セグメント単位インターリーブ部が用いる前記インターリーブテーブルを初期化してもよい。
【００１６】
第１の特徴に係る送信装置において、前記セグメント単位インターリーブ部は、２以上の階層のデータをセグメント単位でインターリーブし、当該送信装置は、前記２以上の階層のデータをキャリア単位でインターリーブするセグメント間インターリーブ部と、前記２以上の階層のデータのそれぞれのＳＰパターンに基づいて、前記２以上の階層のデータをセグメント単位でインターリーブするか又はキャリア単位でインターリーブするかを切り替えるインターリーブ切替部と、をさらに備えてもよい。
【００１７】
第１の特徴に係る送信装置において、前記セグメント単位インターリーブ部は、２以上の階層のデータをセグメント単位でインターリーブする場合において、前記２以上の階層のデータのそれぞれのＳＰパターンにかかわらず、前記２以上の階層のデータをセグメント単位でインターリーブしてもよい。
【００１８】
第１の特徴に係る送信装置において、前記時間単位ごとにセグメント単位で巡回シフトを行う巡回シフトインターリーブ部を備えてもよい。
【００１９】
第１の特徴に係る送信装置において、前記１つの放送チャンネルの周波数帯における部分受信帯域に対して、前記１以上の階層のデータをセグメント単位でインターリーブしてもよい。
【００２０】
第１の特徴に係る送信装置において、前記１つの放送チャンネルの周波数帯における非部分受信帯域に対して、前記１以上の階層のデータをセグメント単位でインターリーブしてもよい。
【００２１】
第１の特徴に係る送信装置において、前記１つの放送チャンネルの周波数帯の全帯域に対して、前記１以上の階層のデータをセグメント単位でインターリーブしてもよい。
【００２２】
第２の特徴に係る受信装置は、１つの放送チャンネルの周波数帯を複数のセグメントに分割して用いるデジタル放送システムにおける受信装置であって、セグメント単位での周波数デインターリーブを行うとき、デインターリーブ前のセグメント番号に対するデインターリーブ後のセグメント番号の対応関係を、１又は複数のシンボルからなる時間単位ごとに切り替えることを要旨とする。
【００２３】
第２の特徴に係る受信装置において、デインターリーブ前のセグメント番号に対するデインターリーブ後のセグメント番号の対応関係を規定するデインターリーブテーブルに従って、１以上の階層のデータをセグメント単位でデインターリーブするセグメント単位デインターリーブ部と、１又は複数のシンボルからなる時間単位ごとに、前記セグメント単位デインターリーブ部が用いる前記デインターリーブテーブルを切り替えるデインターリーブテーブル切替部とを備えてもよい。
【００２４】
第２の特徴に係る受信装置において、前記対応関係として互いに異なる対応関係を規定する複数のデインターリーブテーブルを保持するデインターリーブテーブル保持部をさらに備え、前記デインターリーブテーブル切替部は、前記複数のデインターリーブテーブルの中から、前記セグメント単位デインターリーブ部が用いる前記デインターリーブテーブルを前記時間単位ごとに切り替えてもよい。
【００２５】
第２の特徴に係る受信装置において、前記対応関係を規定する基本デインターリーブテーブルを保持するデインターリーブテーブル保持部をさらに備え、前記デインターリーブテーブル切替部は、前記基本デインターリーブテーブルを前記時間単位ごとに巡回シフトすることにより、前記セグメント単位デインターリーブ部が用いる前記デインターリーブテーブルを前記時間単位ごとに切り替えてもよい。
【００２６】
第２の特徴に係る受信装置において、前記デインターリーブテーブル切替部は、ＯＦＤＭフレームの先頭のタイミングにおいて、前記セグメント単位デインターリーブ部が用いる前記デインターリーブテーブルを初期化してもよい。
【００２７】
第２の特徴に係る受信装置において、前記セグメント単位デインターリーブ部は、２以上の階層のデータをセグメント単位でデインターリーブし、当該受信装置は、前記２以上の階層のデータをキャリア単位でデインターリーブするセグメント間デインターリーブ部と、前記２以上の階層のデータのそれぞれのＳＰパターンに基づいて、前記２以上の階層のデータをセグメント単位でデインターリーブするか又はキャリア単位でデインターリーブするかを切り替えるデインターリーブ切替部と、をさらに備えてもよい。
【００２８】
第２の特徴に係る受信装置において、前記セグメント単位デインターリーブ部は、２以上の階層のデータをセグメント単位でデインターリーブする場合において、前記２以上の階層のデータのそれぞれのＳＰパターンにかかわらず、前記２以上の階層のデータをセグメント単位でデインターリーブしてもよい。
【００２９】
第２の特徴に係る受信装置において、前記時間単位ごとにセグメント単位で巡回シフトを行う巡回シフトデインターリーブ部を備えてもよい。
【００３０】
第２の特徴に係る受信装置において、前記１つの放送チャンネルの周波数帯における部分受信帯域に対して、前記１以上の階層のデータをセグメント単位でデインターリーブしてもよい。
【００３１】
第２の特徴に係る受信装置において、前記１つの放送チャンネルの周波数帯における非部分受信帯域に対して、前記１以上の階層のデータをセグメント単位でデインターリーブしてもよい。
【００３２】
第２の特徴に係る受信装置において、前記１つの放送チャンネルの周波数帯の全帯域に対して、前記１以上の階層のデータをセグメント単位でデインターリーブしてもよい。
【発明の効果】
【００３３】
本発明によれば、セグメント単位インターリーブを行う場合であっても伝送特性を十分に改善可能とする送信装置及び受信装置を提供できる。
【図面の簡単な説明】
【００３４】
【図１】実施形態に係るデジタル放送システムにおけるセグメント構造をＩＳＤＢ−Ｔのセグメント構造と比較して示す図である。
【図２】実施形態に係るデジタル放送システムにおける送信装置の構成を示す図である。
【図３】実施形態に係る階層間インターリーブ部の構成を示す図である。
【図４】実施形態に係る階層内セグメント間インターリーブ部によって行われる周波数インターリーブの一例を示す図である。
【図５】実施形態に係る階層間インターリーブ部によって行われる周波数インターリーブ（セグメント単位インターリーブ）の一例を示す図である。
【図６】実施形態に係るインターリーブテーブル切替部の動作例を示す図である。
【図７】実施形態に係るデジタル放送システムにおける受信装置の構成を示す図である。
【図８】実施形態に係る階層間デインターリーブ部の構成を示す図である。
【図９】変更例１に係る階層間インターリーブ部の構成を示す図である。
【図１０】変更例１に係る階層間デインターリーブ部の構成を示す図である。
【図１１】変更例２に係るインターリーブテーブル切替部の動作例を示す図である。
【図１２】変更例３に係るインターリーブテーブル切替部の動作例を示す図である。
【図１３】変更例３に係るインターリーブテーブル切替部の他の動作例を示す図である。
【図１４】変更例４に係るデジタル放送システムにおける送信装置の構成を示す図である。
【図１５】変更例４に係るデジタル放送システムにおける受信装置の構成を示す図である。
【発明を実施するための形態】
【００３５】
図面を参照しながら、本実施形態に係るデジタル放送システムについて説明する。本実施形態に係るデジタル放送システムは、次世代の地上デジタル放送伝送方式に対応した放送システム（地上デジタルテレビジョン放送システム）である。
【００３６】
なお、図面の記載において、同一又は類似の部分には同一又は類似の符号を付している。
【００３７】
＜１．実施形態の概要＞
本実施形態に係るデジタル放送システムの概要について説明する。本実施形態に係る送信装置は、１つの放送チャンネルの周波数帯を複数のセグメントに分割して用いるデジタル放送システムにおける送信装置であって、インターリーブ前のセグメント番号に対するインターリーブ後のセグメント番号の対応関係を規定するインターリーブテーブルに従って、１以上の階層のデータをセグメント単位でインターリーブするセグメント単位インターリーブ部と、１又は複数のシンボルからなる時間単位ごとに、前記セグメント単位インターリーブ部が用いる前記インターリーブテーブルを切り替えるインターリーブテーブル切替部と、を備える。
【００３８】
本実施形態に係る受信装置は、１つの放送チャンネルの周波数帯を複数のセグメントに分割して用いるデジタル放送システムにおける受信装置であって、デインターリーブ前のセグメント番号に対するデインターリーブ後のセグメント番号の対応関係を規定するデインターリーブテーブルに従って、１以上の階層のデータをセグメント単位でデインターリーブするセグメント単位デインターリーブ部と、１又は複数のシンボルからなる時間単位ごとに、前記セグメント単位デインターリーブ部が用いる前記デインターリーブテーブルを切り替えるデインターリーブテーブル切替部と、を備える。
【００３９】
このように、本実施形態に係る送信装置は、１又は複数のシンボルからなる時間単位ごとに、セグメント単位インターリーブ部が用いるインターリーブテーブルを切り替える。これにより、インターリーブ前のセグメント番号に対するインターリーブ後のセグメント番号の対応関係を時間単位ごとに変更できるため、１つの階層のデータが同じセグメント番号のセグメントを使用し続けることがない。すなわち、１つの階層のデータが使用するセグメント番号が時間の経過に従って動的に切り替えられる。
【００４０】
したがって、インターリーブによって広帯域化した効果が得られるため、セグメント単位インターリーブを行う場合であっても、周波数選択性フェージングなどの影響を緩和し、伝送特性を改善可能とすることができる。例えば、９セグメントの部分受信帯域内にＡ階層が１セグメントのみ含まれ、残りの８セグメントがＢ階層である場合、インターリーブによって、部分受信帯域の９セグメント内においてＡ階層のセグメント番号（すなわち、周波数位置）が変化していくため、９セグメント帯域に広帯域化した効果が得られる。
【００４１】
なお、本実施形態に係る送信装置及び受信装置にはインターリーブテーブル切替パターンが予め設定されており、送信装置におけるインターリーブテーブル切替パターンと同期して受信装置がインターリーブテーブル切替を行う。同期の方法は、ＯＦＤＭフレーム先頭でインターリーブテーブルを初期化するなどの方法を用いる。
【００４２】
＜２．セグメント構造＞
本実施形態に係るデジタル放送システムにおけるセグメント構造について説明する。図１は、本実施形態に係るデジタル放送システムにおけるセグメント構造をＩＳＤＢ−Ｔのセグメント構造と比較して示す図である。
【００４３】
図１（ａ）に、ＩＳＤＢ−Ｔのセグメント構造を示し、図１（ｂ）に、次世代の地上デジタル放送伝送方式のノーマルモードのセグメント構造を示し、図１（ｃ）に、次世代の地上デジタル放送伝送方式の互換モードのセグメント構造を示し、図１（ｄ）に、次世代の地上デジタル放送伝送方式の拡張モードのセグメント構造を示す。
【００４４】
図１（ａ）に示すＩＳＤＢ−Ｔでは、１つの放送チャンネルは、１３セグメントによって構成されており、５．５７ＭＨｚの帯域幅を有している。ＩＳＤＢ−Ｔの１つの放送チャンネル内において、中央の１セグメントが部分受信帯域αであり、かかる部分受信帯域の両側に配置された１２セグメントが非部分受信帯域βである。
【００４５】
図１（ｂ）に示すように、次世代の地上デジタル放送伝送方式のノーマルモードでは、１つの放送チャンネルは、３３セグメントによって構成されており、５．５０ＭＨｚの帯域幅を有している。ノーマルモードのセグメント構造では、１つの放送チャンネル内において、中央の９セグメントが部分受信帯域αであり、かかる部分受信帯域αの両側に配置された２４セグメントが非部分受信帯域βである。
【００４６】
図１（ｃ）に示すように、次世代の地上デジタル放送伝送方式の互換モードでは、１つの放送チャンネルは、３３セグメント（seg）及び調整帯域（０．０７ＭＨｚ）によって構成されており、ＩＳＤＢ−Ｔの１つの放送チャンネルと同じ５．５７ＭＨｚの帯域幅を有している。互換モードのセグメント構造では、１つの放送チャンネル内において、中央の９セグメントが部分受信帯域αであり、かかる部分受信帯域αの両外側に配置された２４セグメントが非部分受信帯域βであり、かかる非部分受信帯域βの両外側に配置されるのが調整帯域γである。
【００４７】
図１（ｄ）に示すように、次世代の地上デジタル放送伝送方式の拡張モードでは、１つの放送チャンネルは、３５セグメントによって構成されており、５．８３ＭＨｚの帯域幅を有している。拡張モードのセグメント構造では、１つの放送チャンネル内において、中央の９セグメントが部分受信帯域αであり、かかる部分受信帯域αの両外側に配置された２６セグメントが非部分受信帯域βである。
【００４８】
＜３．送信装置＞
＜３．１．送信装置の構成＞
本実施形態に係るデジタル放送システムにおける送信装置の構成について説明する。図２は、本実施形態に係るデジタル放送システムにおける送信装置１の構成を示す図である。なお、図２において、インターリーブを「ＩＬ」と略記し、セグメントを「セグ」と略記している。
【００４９】
図２に示すように、送信装置１は、３階層までの階層伝送を行う。具体的には、本実施形態に係る送信装置１は、Ａ階層データ、Ｂ階層データ、及びＣ階層データを送信することができる。例えば、Ａ階層データは、移動受信向けの放送用データであり、Ｂ階層データ及びＣ階層データは、固定受信向けの放送用データである。
【００５０】
送信装置１は、マッピング部１１ａ、１１ｂ、１１ｃと、調整帯域分離部１２と、時間インターリーブ部１３（１３ａ、１３ｂ、１３ｃ、１３ｄ）と、階層内セグメント間インターリーブ部１４（１４ａ、１４ｂ、１４ｃ）と、部分受信帯域分離部１５と、階層間インターリーブ部１６ａ、１６ｂと、セグメント内インターリーブ部１７ａ、１７ｂと、帯域合成部１８と、ＯＦＤＭフレーム構成部１９と、ＩＦＦＴ部２０と、送信部２１とを備える。
【００５１】
マッピング部１１ａは、Ａ階層データをキャリアにマッピングし、キャリアにマッピングしたＡ階層データを時間インターリーブ部１３ａに出力する。マッピング部１１ｂは、Ｂ階層データをキャリアにマッピングし、キャリアにマッピングしたＢ階層データを時間インターリーブ部１３ｂに出力する。マッピング部１１ｃは、Ｃ階層データをキャリアにマッピングし、キャリアにマッピングしたＣ階層データを調整帯域分離部１２に出力する。
【００５２】
調整帯域分離部１２は、互換モードの場合に、調整帯域データをＣ階層データ（すなわち、Ｃ階層データがマッピングされているキャリア）から、周波数方向に等しい間隔で引き抜き、時間インターリーブ部１３ｄに出力するとともに、残りのＣ階層データを時間インターリーブ部１３ｃに出力する。
【００５３】
時間インターリーブ部１３ａは、マッピング部１１ａから入力されたＡ階層データに対して時間インターリーブを施し、時間インターリーブ後のＡ階層データを階層内セグメント間インターリーブ部１４ａに出力する。時間インターリーブ部１３ｂは、マッピング部１１ｂから入力されたＢ階層データに対して時間インターリーブを施し、時間インターリーブ後のＢ階層データを階層内セグメント間インターリーブ部１４ｂに出力する。時間インターリーブ部１３ｃは、調整帯域分離部１２から入力されたＣ階層データに対して時間インターリーブを施し、時間インターリーブ後のＣ階層データを階層内セグメント間インターリーブ部１４ｃに出力する。時間インターリーブ部１３ｄは、調整帯域分離部１２から入力されたＣ階層データ（調整帯域）に対して時間インターリーブを施し、時間インターリーブ後のＣ階層データを帯域合成部１８に出力する。
【００５４】
階層内セグメント間インターリーブ部１４ａは、時間インターリーブ部１３ａから入力されたＡ階層データを構成する全てのセグメントにわたってキャリア単位で周波数インターリーブを施し、周波数インターリーブ後のＡ階層データを部分受信帯域分離部１５に出力する。階層内セグメント間インターリーブ部１４ｂは、時間インターリーブ部１３ｂから入力されたＢ階層データを構成する全てのセグメントにわたってキャリア単位で周波数インターリーブを施し、周波数インターリーブ後のＢ階層データを部分受信帯域分離部１５に出力する。階層内セグメント間インターリーブ部１４ｃは、時間インターリーブ部１３ｃから入力されたＣ階層データを構成する全てのセグメントにわたってキャリア単位で周波数インターリーブを施し、周波数インターリーブ後のＣ階層データを部分受信帯域分離部１５に出力する。
【００５５】
部分受信帯域分離部１５は、階層内セグメント間インターリーブ部１４ａから入力されたＡ階層データ、階層内セグメント間インターリーブ部１４ｂから入力されたＢ階層データ、及び階層内セグメント間インターリーブ部１４ｃから入力されたＣ階層データから、部分受信帯域データ及び非部分受信帯域データを生成し、部分受信帯域データを階層間インターリーブ部１６ａに出力し、非部分受信帯域データを階層間インターリーブ部１６ｂに出力する。
【００５６】
具体的には、部分受信帯域分離部１５は、９セグメントからなる部分受信帯域αにＡ階層データを割り当てた後に空きがある場合にＢ階層データを割り当てることによって部分受信帯域データを生成し、非部分受信帯域βにＢ階層データの残り及びＣ階層データを割り当てることによって非部分受信帯域データを生成する。例えば、Ａ階層データが９未満のセグメントからなる場合、部分受信帯域分離部１５は、Ｂ階層データのうちセグメント番号の低い方から順番に部分受信帯域αに割り当てていき、Ａ階層データ及びＢ階層データを合わせて９セグメントからなる部分受信帯域データを生成する。一方、Ａ階層データが９セグメントからなる場合、部分受信帯域分離部１５は、Ａ階層データのみを部分受信帯域データとし、Ｂ階層データ及びＣ階層データを非部分受信帯域データとする。
【００５７】
部分受信帯域向けの階層間インターリーブ部１６ａは、部分受信帯域分離部１５から入力された部分受信帯域データに対して周波数インターリーブを施し、周波数インターリーブ後の部分受信帯域データをセグメント内インターリーブ部１７ａに出力する。本実施形態において、階層間インターリーブ部１６ａは、周波数インターリーブとしてセグメント単位インターリーブを行う。具体的には、階層間インターリーブ部１６ａは、部分受信帯域データにおけるＳＰパターンにかかわらず、部分受信帯域データをセグメント単位でインターリーブする。これにより、セグメント間インターリーブ及びセグメント単位インターリーブをＳＰパターンに応じて使い分ける場合に比べて処理を簡略化できる。
【００５８】
図３は、階層間インターリーブ部１６ａの構成を示す図である。図３に示すように、階層間インターリーブ部１６ａは、セグメント単位インターリーブ部１６１と、インターリーブテーブル切替部１６２と、インターリーブテーブル保持部１６３とを備える。
【００５９】
セグメント単位インターリーブ部１６１は、インターリーブ前のセグメント番号に対するインターリーブ後のセグメント番号の対応関係を規定するインターリーブテーブルに従って、部分受信帯域分離部１５から入力された部分受信帯域データをセグメント単位でインターリーブする。ここで、部分受信帯域データは、１以上の階層のデータ（すなわち、Ａ及びＢ階層、又はＡ階層のみ）である。
【００６０】
インターリーブテーブル切替部１６２は、１又は複数のシンボルからなる時間単位ごとに、セグメント単位インターリーブ部１６１が用いるインターリーブテーブルを切り替える。本実施形態において、インターリーブテーブル切替部１６２が１シンボルごとにインターリーブテーブルを切り替える一例について説明するが、２以上のシンボルごとにインターリーブテーブルを切り替えてもよい。但し、インターリーブテーブルを切り替える時間単位（切り替え周期）は、時間方向におけるＳＰの配置間隔の整数倍であることが好ましい。
【００６１】
インターリーブテーブル保持部１６３は、インターリーブ前のセグメント番号に対するインターリーブ後のセグメント番号の対応関係として互いに異なる対応関係を規定する複数のインターリーブテーブルを保持する。インターリーブテーブル切替部１６２は、インターリーブテーブル保持部１６３が保持している複数のインターリーブテーブルの中から、セグメント単位インターリーブ部１６１が用いるインターリーブテーブルを切り替え周期のシンボルごとに切り替える。
【００６２】
図２に戻り、非部分受信帯域向けの階層間インターリーブ部１６ｂは、部分受信帯域分離部１５から入力された非部分受信帯域データに対して周波数インターリーブを施し、周波数インターリーブ後の非部分受信帯域データをセグメント内インターリーブ部１７ｂに出力する。階層間インターリーブ部１６ｂは、周波数インターリーブとしてセグメント間インターリーブ又はセグメント単位インターリーブを行う。階層間インターリーブ部１６ｂは、Ｂ階層及びＣ階層でＳＰパターンが同じ場合は、セグメント間インターリーブを行う。一方、Ｂ階層及びＣ階層でＳＰパターンが異なる場合は、セグメント単位インターリーブを行う。但し、非部分受信部にＣ階層のみが含まれる場合は、Ｂ階層及びＣ階層のＳＰパターンによらず、セグメント間インターリーブが適用される。
【００６３】
セグメント内インターリーブ部１７ａは、階層間インターリーブ部１６ａから入力された部分受信帯域データを構成するセグメント内でキャリアローテーション及びキャリアランダマイズを施し、キャリアローテーション及びキャリアランダマイズ後の部分受信帯域データを帯域合成部１８に出力する。セグメント内インターリーブ部１７ｂは、階層間インターリーブ部１６ｂから入力された非部分受信帯域データを構成するセグメント内でキャリアローテーション及びキャリアランダマイズを施し、キャリアローテーション及びキャリアランダマイズ後の非部分受信帯域データを帯域合成部１８に出力する。かかる構成によれば、キャリアローテーション及びキャリアランダマイズのみを実施しているＩＳＤＢ−Ｔのワンセグ受信における周波数インターリーブを踏襲しつつ、前段の周波数インターリーブも追加実施することで、特性の向上を狙うことができる。
【００６４】
帯域合成部１８は、セグメント内インターリーブ部１７ａから入力された部分受信帯域データ及びセグメント内インターリーブ部１７ｂから入力された非部分受信帯域データ（互換モードの場合は、時間インターリーブ部１３ｄから入力された調整帯域データも）を合成し、合成された送信データをＯＦＤＭフレーム構成部１９に出力する。例えば、帯域合成部１８は、１つの放送チャンネル内において、中央の９セグメントに部分受信帯域データを配置し、部分受信帯域データ及び非部分受信帯域データを合成する。
【００６５】
ＯＦＤＭフレーム構成部１９は、帯域合成部１８から入力された送信データからＯＦＤＭフレームを構成し、ＯＦＤＭフレームをＩＦＦＴ部２０に出力する。
【００６６】
ＩＦＦＴ部２０は、ＯＦＤＭフレーム構成部１９から入力されたＯＦＤＭフレームに対してＩＦＦＴを施してＯＦＤＭ信号を生成し、生成したＯＦＤＭ信号を送信部２１に出力する。
【００６７】
送信部２１は、ＩＦＦＴ部２０から出力されたＯＦＤＭ信号を無線信号に変換して送信する。すなわち、送信部２１は、部分受信帯域データ及び非部分受信帯域データ（互換モードの場合は、調整帯域データも）を含むＯＦＤＭ信号を送信する。
【００６８】
＜３．２．階層内セグメント間インターリーブの一例＞
階層内セグメント間インターリーブ部１４（１４ａ、１４ｂ、１４ｃ）によって行われる周波数インターリーブについて説明する。図４は、かかる周波数インターリーブを示す図である。
【００６９】
図４（ａ）に、かかる周波数インターリーブ前のキャリアＳｉ（ｉ＝０〜ｎｚ−１）の配列を示し、図４（ｂ）に、かかる周波数インターリーブ後のキャリアＳｉ（ｉ＝０〜ｎｚ−１）の配列を示す。ここで、ｎは、各階層データのセグメント数を示し、ｚは、１セグメント当たりのキャリア数を示す。なお、ｚは、ＳＰ間隔に基づいて決定される。例えば、ＦＦＴサイズが８ｋポイントである場合、ｚは、１７４、１９２、２０１のいずれかであり、ＦＦＴサイズが１６ｋポイントである場合、ｚは、２７６、３４８、３８４、４０２、４１１のいずれかであり、ＦＦＴサイズが３２ｋポイントである場合、ｚは、５５２、６９６、７６８、８０４、８２２、８３６、８３８、８３９のいずれかである。
【００７０】
例えば、Ａ階層データのセグメント数ｎが７である場合、階層内セグメント間インターリーブ部１４ａは、Ａ階層データを構成する全てのセグメント０〜ｎ−１にわたってキャリア単位で周波数インターリーブを施す。すなわち、階層内セグメント間インターリーブ部１４ａは、Ａ階層データがマッピングされているキャリアＳ０〜Ｓ１２１７を、図４（ａ）に示す配列から図４（ｂ）に示す配列に変更する。
【００７１】
＜３．３．階層間セグメント単位インターリーブの一例＞
部分受信帯域向けの階層間インターリーブ部１６ａによって行われる周波数インターリーブ（セグメント単位インターリーブ）について説明する。
【００７２】
図５は、かかる周波数インターリーブの基本的な動作を示す図である。図５（ａ）に示すように、部分受信帯域αは、セグメントＮｏ．０からＮｏ．８までの９セグメントからなる。階層間インターリーブ部１６ａのセグメント単位インターリーブ部１６１は、インターリーブ前のセグメント番号に対するインターリーブ後のセグメント番号の対応関係を規定するインターリーブテーブルに従って、部分受信帯域データ（部分受信帯域α）を構成するセグメントの配列を、例えば図５（ａ）に示す配列から図５（ｂ）に示す配列に変更する。
【００７３】
図６は、階層間インターリーブ部１６ａのインターリーブテーブル切替部１６２の動作例を示す図である。
【００７４】
図６に示すように、インターリーブテーブル切替部１６２は、切り替え周期のシンボルごとに、セグメント単位インターリーブ部１６１が用いるインターリーブテーブルを切り替える。図６は切り替え周期のシンボル数を１とした場合の例である。本実施形態において、インターリーブテーブル保持部１６３は、インターリーブ前のセグメント番号（図５（ａ）参照）に対するインターリーブ後のセグメント番号の対応関係が互いに異なる９つのインターリーブテーブルを保持する。図６の例では、インターリーブテーブル保持部１６３は、シンボル番号“０”〜“８”にそれぞれ対応付けられたインターリーブテーブルを保持する。
【００７５】
インターリーブテーブル切替部１６２は、インターリーブテーブル保持部１６３が保持する９つのインターリーブテーブルの中から、セグメント単位インターリーブ部１６１が用いるインターリーブテーブルを切り替え周期のシンボルシンボルごとに切り替える。例えば、切り替え周期のシンボル数を１とした場合、インターリーブテーブル切替部１６２は、シンボル番号“０”には第１のインターリーブテーブルを適用し、シンボル番号が“０”から“１”になる際に、第１のインターリーブテーブルから第２のインターリーブテーブルに切り替える。同様にしてインターリーブテーブルを切り替えていき、シンボル番号が“８”から“９”になる際に、再び第１のインターリーブテーブルに戻る（すなわち、インターリーブテーブルが初期化される）。ここでは切り替え周期のシンボル数を１としたため、９シンボル周期でインターリーブテーブルを初期化する一例を説明したが、切り替え周期のシンボル数を調整して１８シンボル周期や３６シンボル周期としてもよい。
【００７６】
これにより、例えばＡ階層として１セグメントのみ使用している場合においても、Ａ階層の伝送に使用されるセグメント番号はシンボルごとに異なるため、特定の周波数領域のみ歪の影響をうける周波数選択性フェージングなどの影響を緩和できる。
【００７７】
＜４．受信装置＞
本実施形態に係るデジタル放送システムにおける受信装置の構成について説明する。図７は、本実施形態に係るデジタル放送システムにおける受信装置３の構成を示す図である。なお、図７において、デインターリーブを「ＤＩＬ」と略記し、セグメントを「セグ」と略記している。
【００７８】
図７に示すように、受信装置３は、図２に示した送信装置１が行う処理の逆処理を行うように構成される。具体的には、受信装置３は、受信部３１と、ＦＦＴ部３２と、デフレーム化部３３と、帯域分離部３４と、セグメント内デインターリーブ部３５ａ、３５ｂと、階層間デインターリーブ部３６ａ、３６ｂと、部分受信帯域合成部３７と、階層内セグメント間デインターリーブ部３８（３８ａ、３８ｂ、３８ｃ）と、時間デインターリーブ部３９（３９ａ、３９ｂ、３９ｃ、３９ｄ）と、調整帯域合成部４０と、デマッピング部４１ａ、４１ｂ、４１ｃとを備える。
【００７９】
受信部３１は、送信装置１によって送信された無線信号を受信してＯＦＤＭ信号に変換し、ＯＦＤＭ信号をＦＦＴ部３２に出力する。
【００８０】
ＦＦＴ部３２は、受信部３１から入力されたＯＦＤＭ信号に対してＦＦＴを施し、受信データをデフレーム化部３３に出力する。
【００８１】
デフレーム化部３３は、ＦＦＴ部３２から入力された受信データに基づいて、部分受信帯域データ及び非部分受信帯域データ（互換モードの場合は、調整帯域データも）の合成データを取得し、取得した合成データを帯域分離部３４に出力する。
【００８２】
帯域分離部３４は、デフレーム化部３３から入力された合成データから、部分受信帯域データ及び非部分受信帯域データ（互換モードの場合は、調整帯域データも）を分離して取得し、部分受信帯域データをセグメント内デインターリーブ部３５ａに出力するとともに、非部分受信帯域データをセグメント内デインターリーブ部３５ｂに出力する。帯域分離部３４は、互換モードの場合は調整帯域データを時間デインターリーブ部３９ｄに出力する。
【００８３】
セグメント内デインターリーブ部３５ａは、部分受信帯域データを構成するセグメント内で、送信装置１のセグメント内インターリーブ部１７ａによって施されたキャリアローテーション及びキャリアランダマイズの逆の処理を施し、かかる処理が施された部分受信帯域データを階層間デインターリーブ部３６ａに出力する。セグメント内デインターリーブ部３５bは、非部分受信帯域データを構成するセグメント内で、送信装置１のセグメント内インターリーブ部１７ｂによって施されたキャリアローテーション及びキャリアランダマイズの逆の処理を施し、かかる処理が施された部分受信帯域データを階層間デインターリーブ部３６ｂに出力する。
【００８４】
階層間デインターリーブ部３６ａは、セグメント内デインターリーブ部３５ａから入力された部分受信帯域データを構成するセグメント単位で周波数デインターリーブを施し、周波数デインターリーブ後の部分受信帯域データを部分受信帯域合成部３７に出力する。かかる周波数デインターリーブは、送信装置１の階層間インターリーブ部１６ａによって施される周波数インターリーブ（セグメント単位インターリーブ）の逆の処理、すなわち、セグメント単位デインターリーブである。
【００８５】
図８は、階層間デインターリーブ部３６ａの構成を示す図である。図８に示すように、階層間デインターリーブ部３６ａは、セグメント単位デインターリーブ部３６１と、デインターリーブテーブル切替部３６２と、デインターリーブテーブル保持部３６３とを備える。
【００８６】
セグメント単位デインターリーブ部３６１は、デインターリーブ前のセグメント番号に対するデインターリーブ後のセグメント番号の対応関係を規定するデインターリーブテーブルに従って、セグメント内デインターリーブ部３５ａから入力された部分受信帯域データをセグメント単位でデインターリーブする。ここで、部分受信帯域データは、１以上の階層のデータ（すなわち、Ａ及びＢ階層、又はＡ階層のみ）である。
【００８７】
デインターリーブテーブル切替部３６２は、１又は複数のシンボルからなる時間単位ごとに、セグメント単位デインターリーブ部３６１が用いるデインターリーブテーブルを切り替える。本実施形態において、デインターリーブテーブル切替部３６２が１シンボルごとにデインターリーブテーブルを切り替える一例について説明するが、２以上のシンボルごとにデインターリーブテーブルを切り替えてもよい。但し、デインターリーブテーブルを切り替える時間単位（切り替え周期）は、時間方向におけるＳＰの配置間隔の整数倍であることが好ましい。
【００８８】
デインターリーブテーブル保持部３６３は、デインターリーブ前のセグメント番号に対するデインターリーブ後のセグメント番号の対応関係として互いに異なる対応関係を規定する複数のデインターリーブテーブルを保持する。デインターリーブテーブル切替部３６２は、デインターリーブテーブル保持部３６３が保持している複数のデインターリーブテーブルの中から、セグメント単位デインターリーブ部３６１が用いるデインターリーブテーブルを切り替え周期のシンボルごとに切り替える。
【００８９】
図７に戻り、階層間デインターリーブ部３６ｂは、セグメント内デインターリーブ部３５ｂから入力された非部分受信帯域データに対して周波数デインターリーブを施し、周波数デインターリーブ後の非部分受信帯域データを部分受信帯域合成部３７に出力する。かかる周波数デインターリーブは、送信装置１の階層間インターリーブ部１６ｂによって施される周波数インターリーブ（セグメント単位インターリーブ又はセグメント単位インターリーブ）の逆の処理である。
【００９０】
部分受信帯域合成部３７は、階層間デインターリーブ部３６ａから入力された部分受信帯域データ及び階層間デインターリーブ部３６ｂから入力された非部分受信帯域データから、Ａ階層データ、Ｂ階層データ、及びＣ階層データを取得し、Ａ階層データを階層内セグメント間デインターリーブ部３８ａに出力し、Ｂ階層データを階層内セグメント間デインターリーブ部３８ｂに出力し、Ｃ階層データを階層内セグメント間デインターリーブ部３８ｃに出力する。
【００９１】
階層内セグメント間デインターリーブ部３８ａは、部分受信帯域合成部３７から入力されたＡ階層データを構成する全てのセグメントにわたってキャリア単位で周波数デインターリーブを施し、周波数デインターリーブ後のＡ階層データを時間デインターリーブ部３９ａに出力する。階層内セグメント間デインターリーブ部３８ｂは、部分受信帯域合成部３７から入力されたＢ階層データを構成する全てのセグメントにわたってキャリア単位で周波数デインターリーブを施し、周波数デインターリーブ後のＢ階層データを時間デインターリーブ部３９ｂに出力する。階層内セグメント間デインターリーブ部３８ｃは、部分受信帯域合成部３７から入力されたＣ階層データを構成する全てのセグメントにわたってキャリア単位で周波数デインターリーブを施し、周波数デインターリーブ後のＣ階層データを時間デインターリーブ部３９ｃに出力する。
【００９２】
時間デインターリーブ部３９ａは、階層内セグメント間デインターリーブ部３８ａから入力されたＡ階層データに対して時間デインターリーブを施し、時間デインターリーブ後のＡ階層データをデマッピング部４１ａに出力する。時間デインターリーブ部３９ｂは、階層内セグメント間デインターリーブ部３８ｂから入力されたＢ階層データに対して時間デインターリーブを施し、時間デインターリーブ後のＢ階層データをデマッピング部４１ｂに出力する。時間デインターリーブ部３９ｃは、階層内セグメント間デインターリーブ部３８ｃから入力されたＣ階層データに対して時間デインターリーブを施し、時間デインターリーブ後のＣ階層データを調整帯域合成部４０に出力する。時間デインターリーブ部３９ｄは、帯域分離部３４から入力された調整帯域データに対して時間デインターリーブを施し、時間デインターリーブ後の調整帯域データを調整帯域合成部４０に出力する。
【００９３】
調整帯域合成部４０は、時間デインターリーブ部３９ｃから入力されたＣ階層データと時間デインターリーブ部３９ｄから入力された調整帯域データ（Ｃ階層データ）とを合成し、合成されたＣ階層データをデマッピング部４１ｃに出力する。
【００９４】
デマッピング部４１ａは、時間デインターリーブ部３９ａから入力されたＡ階層データのキャリアからＡ階層データをデマッピングして出力する。デマッピング部４１ｂは、時間デインターリーブ部３９ｂから入力されたＢ階層データのキャリアからＢ階層データをデマッピングして出力する。デマッピング部４１ｃは、調整帯域合成部４０から入力されたＣ階層データのキャリアからＣ階層データをデマッピングして出力する。
【００９５】
＜５．実施形態のまとめ＞
本実施形態に係る送信装置１によれば、インターリーブテーブル切替部１６２は、１又は複数のシンボルからなる時間単位（切り替え周期）ごとに、セグメント単位インターリーブ部１６１が用いるインターリーブテーブルを切り替える。また、本実施形態に係る受信装置３によれば、デインターリーブテーブル切替部３６２は、１又は複数のシンボルからなる時間単位（切り替え周期）ごとに、セグメント単位デインターリーブ部３６１が用いるデインターリーブテーブルを切り替える。
【００９６】
これにより、インターリーブ前のセグメント番号に対するインターリーブ後のセグメント番号の対応関係を時間単位ごとに変更できるため、１つの階層のデータが同じセグメント番号のセグメントを使用し続けることがない。すなわち、１つの階層のデータが使用するセグメント番号が時間の経過に従って動的に切り替えられる。したがって、インターリーブによって広帯域化した効果が得られるため、セグメント単位インターリーブを行う場合であっても、周波数選択性フェージングなどの影響を緩和し、伝送特性を改善可能とすることができる。
【００９７】
＜６．変更例１＞
上述した実施形態において、送信装置１の階層間インターリーブ部１６ａが、部分受信帯域データにおけるＳＰパターンにかかわらず、部分受信帯域データをセグメント単位でインターリーブする一例について説明した。
【００９８】
しかしながら、階層間インターリーブ部１６ａは、部分受信帯域データにおけるＳＰパターンに基づいて、部分受信帯域データをセグメント単位でインターリーブするか又は部分受信帯域データをキャリア単位でインターリーブするかを切り替えてもよい。
【００９９】
図９は、本変更例に係る送信装置１の階層間インターリーブ部１６ａの構成を示す図である。図９に示すように、本変更例に係る階層間インターリーブ部１６ａは、セグメント単位インターリーブ部１６１と、インターリーブテーブル切替部１６２と、インターリーブテーブル保持部１６３と、セグメント間インターリーブ部１６４と、インターリーブ切替部１６５とを備える。ここで、セグメント単位インターリーブ部１６１、インターリーブテーブル切替部１６２、及びインターリーブテーブル保持部１６３については、上述した実施形態と同様である。
【０１００】
セグメント間インターリーブ部１６４は、部分受信帯域データを構成するＡ階層データ及びＢ階層データをキャリア単位でインターリーブする。具体的には、セグメント間インターリーブ部１６４は、部分受信帯域データの全セグメントにわたってキャリア単位でインターリーブする。
【０１０１】
インターリーブ切替部１６５は、部分受信帯域データを構成するＡ階層データ及びＢ階層データのそれぞれのＳＰパターンに基づいて、部分受信帯域データをセグメント単位でインターリーブするか又はキャリア単位でインターリーブするかを切り替える。ＳＰパターンとは、時間方向及び周波数方向におけるＳＰの配置パターンをいう。具体的には、インターリーブ切替部１６５は、ＳＰパターンが同じ場合は、部分受信帯域データをセグメント間インターリーブ部１６４に出力する。一方、ＳＰパターンが異なる場合は、部分受信帯域データをセグメント単位インターリーブ部１６１に出力する。なお、部分受信帯域データがＡ階層データのみから構成される場合、インターリーブ切替部１６５は、部分受信帯域データをセグメント間インターリーブ部１６４に出力する。
【０１０２】
図１０は、本変更例に係る受信装置３の階層間デインターリーブ部３６ａの構成を示す図である。図１０に示すように、本変更例に係る階層間デインターリーブ部３６ａは、セグメント単位デインターリーブ部３６１と、デインターリーブテーブル切替部３６２と、デインターリーブテーブル保持部３６３と、セグメント間デインターリーブ部３６４と、デインターリーブ切替部３６５とを備える。ここで、セグメント単位デインターリーブ部３６１、デインターリーブテーブル切替部３６２、及びデインターリーブテーブル保持部３６３については、上述した実施形態と同様である。
【０１０３】
セグメント間デインターリーブ部３６４は、部分受信帯域データを構成するＡ階層データ及びＢ階層データをキャリア単位でデインターリーブする。具体的には、セグメント間デインターリーブ部３６４は、部分受信帯域データの全セグメントにわたってキャリア単位でデインターリーブする。
【０１０４】
デインターリーブ切替部３６５は、部分受信帯域データを構成するＡ階層データ及びＢ階層データのそれぞれのＳＰパターンに基づいて、部分受信帯域データをセグメント単位でデインターリーブするか又はキャリア単位でデインターリーブするかを切り替える。具体的には、デインターリーブ切替部３６５は、ＳＰパターンが同じ場合は、部分受信帯域データをセグメント間デインターリーブ部３６４に出力する。一方、ＳＰパターンが異なる場合は、部分受信帯域データをセグメント単位デインターリーブ部３６１に出力する。なお、部分受信帯域データがＡ階層データのみから構成される場合、デインターリーブ切替部３６５は、部分受信帯域データをセグメント間デインターリーブ部３６４に出力する。
【０１０５】
＜７．変更例２＞
上述した実施形態に係る送信装置１において、インターリーブテーブル保持部１６３が複数のインターリーブテーブルを保持しており、インターリーブテーブル切替部１６２が、これら複数のインターリーブテーブルの中から、セグメント単位インターリーブ部１６１が用いるインターリーブテーブルを切り替え周期のシンボル数ごとに切り替える一例について説明した。
【０１０６】
しかしながら、インターリーブテーブル保持部１６３が１つの基本インターリーブテーブルを保持し、インターリーブテーブル切替部１６２が、基本インターリーブテーブルを巡回シフトすることにより、セグメント単位インターリーブ部１６１が用いるインターリーブテーブルを切り替え周期のシンボル数ごとに切り替えてもよい。本変更例によれば、上述した実施形態のような複数のインターリーブテーブルを不要とすることができる。
【０１０７】
図１１は、本変更例に係る送信装置１のインターリーブテーブル切替部１６２の動作例を示す図である。
【０１０８】
図１１に示すように、インターリーブテーブル切替部１６２は、１シンボルごとに、基本インターリーブテーブルを巡回シフトする。図１１は、切り替え周期のシンボル数を１とした例であり、インターリーブテーブル切替部１６２は、１シンボルごとに、右巡回シフトにより、インターリーブ後のシンボル番号を１つ右にシフトさせる。この例では右巡回シフトを行っているが、左巡回シフトでも同様の効果が得られる。またシフト量も１ではなく、シフト量を２や４などとすることもできる。
【０１０９】
具体的には、インターリーブテーブル切替部１６２は、シンボル番号“０”には基本インターリーブテーブルを適用し、シンボル番号が“０”から“１”になる際に、基本インターリーブテーブルを右巡回シフトにより１つ右にシフトさせることによりインターリーブテーブルを切り替える。同様にしてインターリーブテーブルを切り替えていき、シンボル番号が“８”から“９”になる際に、再び基本インターリーブテーブルに戻る（すなわち、インターリーブテーブルが初期化される）。ここでは８シンボル周期でインターリーブテーブルを初期化する一例を説明したが、９シンボル周期や１６シンボル周期などであってもよい。
【０１１０】
同様に、受信装置３において、デインターリーブテーブル保持部３６３が１つの基本デインターリーブテーブルを保持し、デインターリーブテーブル切替部３６２が、基本デインターリーブテーブルを巡回シフトすることにより、セグメント単位デインターリーブ部３６１が用いるデインターリーブテーブルを切り替え周期のシンボル数ごとに切り替えてもよい。
【０１１１】
なお、本変更において、上述した変更例１と同様にＳＰパターンに応じてインターリーブを切り替える構成を採用してもよい。
【０１１２】
＜８．変更例３＞
上述した実施形態において、送信装置１の部分受信帯域向けの階層間インターリーブ部１６ａにおいて、インターリーブテーブル切替部１６２がインターリーブテーブルを１シンボルごとに切り替える一例について説明した。
【０１１３】
しかしながら、かかるインターリーブテーブルの切り替え処理は、非部分受信帯域向けの階層間インターリーブ部１６ｂにも適用可能である。かかる場合、非部分受信帯域向けの階層間インターリーブ部１６ｂは、図３に示す階層間インターリーブ部１６ａと同様の構成を有する。
【０１１４】
図１２は、本変更例に係る階層間インターリーブ部１６ｂのインターリーブテーブル切替部１６２の動作例を示す図である。図１２に示すように、インターリーブテーブル切替部１６２は、上述した実施形態と同様にして、切り替え周期のシンボル数ごとに、セグメント単位インターリーブ部１６１が用いるインターリーブテーブルを切り替える。
【０１１５】
また、変更例２と同様に、基本テーブルを巡回シフトすることによりインターリーブテーブルを切り替えてもよい。図１３は切り替え周期のシンボル数を１とした場合の、本変更例に係る階層間インターリーブ部１６ｂのインターリーブテーブル切替部１６２の他の動作例を示す図である。図１３に示すように、インターリーブテーブル切替部１６２は、切り替え周期のシンボル数ごとに基本テーブルを右巡回シフトにより３つ右にシフトさせる。図１３では、切り替え周期のシンボル数ごとのシフト量が３である一例を示しているが、切り替え周期のシンボル数ごとのシフト量が１や２などであってもよい。
【０１１６】
なお、図１２及び図１３では、非部分受信帯域が２４セグメントである一例を示しているが、非部分受信帯域が２６セグメントであってもよい。
【０１１７】
同様に、受信装置３の非部分受信帯域向けの階層間デインターリーブ部３６ｂにおいて、切り替え周期のシンボル数ごとに、セグメント単位インターリーブ部１６１が用いるインターリーブテーブルを切り替えてもよい。
【０１１８】
また、本変更において、上述した変更例１と同様にＳＰパターンに応じてインターリーブを切り替える構成を採用してもよい。
【０１１９】
＜９．変更例４＞
上述した実施形態及びその変更例において、送信装置１がＯＦＤＭフレーム構成前の信号に対してセグメント単位でインターリーブを行うとともに、受信装置３がデフレーム後の信号に対してセグメント単位でデインターリーブを行う一例について説明した。
【０１２０】
しかしながら、送信装置１がＯＦＤＭフレーム構成後の信号に対してセグメント単位でインターリーブを行うとともに、受信装置３がデフレーム前の信号に対してセグメント単位でデインターリーブを行う構成としてもよい。
【０１２１】
また、上述した実施形態及びその変更例において、１又は複数のシンボルからなる時間単位ごとに、送信装置１がインターリーブテーブルの切り替えを行うとともに、受信装置３がデインターリーブテーブルの切り替えを行う一例について説明した。
【０１２２】
しかしながら、１又は複数のシンボルからなる時間単位ごとに、送信装置１がセグメント単位で巡回シフトインターリーブを行うとともに、受信装置３がセグメント単位で巡回シフトデインターリーブを行う構成としてもよい。
【０１２３】
図１４は、本変更例に係るデジタル放送システムにおける送信装置１の構成を示す図である。図１４に示す送信装置１は、ＯＦＤＭフレーム構成部１９とＩＦＦＴ部２０との間に設けられた巡回シフトインターリーブ部２２を備える点で、上述した実施形態に係る送信装置１とは異なっている。
【０１２４】
巡回シフトインターリーブ部２２は、ＯＦＤＭフレーム構成部１９から入力されたＯＦＤＭフレームに対して、１又は複数のシンボルからなる時間単位ごとにセグメント単位で巡回シフトを行う。すなわち、巡回シフトインターリーブ部２２は、最終的なスペクトル配置になった段階で、巡回シフトインターリーブを行う。このとき、部分受信帯域での処理と非部分受信帯域での処理とを個別に実施する。
【０１２５】
図１５は、本変更例に係るデジタル放送システムにおける受信装置３の構成を示す図である。図１５に示す受信装置３は、ＦＦＴ部３２とデフレーム化部３３との間に設けられた巡回シフトデインターリーブ部４２を備える点で、上述した実施形態に係る受信装置３とは異なっている。
【０１２６】
巡回シフトデインターリーブ部４２は、ＦＦＴ部３２から入力された受信信号に対して、１又は複数のシンボルからなる時間単位ごとにセグメント単位で巡回シフトを行う。このとき、部分受信帯域での処理と非部分受信帯域での処理とを個別に実施する。
【０１２７】
本変更例において、巡回シフトのパターンについては、送信装置１の巡回シフトインターリーブ部２２及び受信装置３の巡回シフトデインターリーブ部４２でパターンを決めておけばよく、例えば右方向・左方向１つとばしなどとしてもよい。
【０１２８】
なお、巡回シフトに代えて、上述した実施形態と同様なテーブルを別途用意すれば、ランダマイズテーブルによるパターンにも対応できる。
【０１２９】
＜１０．その他の実施形態＞
上述のように、本発明について、上述した実施形態によって説明したが、かかる実施形態における開示の一部をなす論述及び図面は、本発明を限定するものであると理解すべきではない。かかる開示から当業者には様々な代替実施形態、実施例及び運用技術が明らかとなろう。
【０１３０】
上述した実施形態において、部分受信帯域向けの階層間インターリーブにおいてセグメント単位インターリーブを行う際にインターリーブテーブルを切り替え周期のシンボル数ごとに切り替える一例について説明した。また、上述した変更例３において、非部分受信帯域向けの階層間インターリーブにおいてセグメント単位インターリーブを行う際にインターリーブテーブルを切り替え周期のシンボル数ごとに切り替える一例について説明した。しかしながら、全帯域の３３セグメント又は３５セグメントに対しても同様の方法で行うことができる。具体的には、全帯域（部分受信帯域及び非部分受信帯域）に対してセグメント単位インターリーブを行う際にインターリーブテーブルを切り替え周期のシンボル数ごとに切り替えてもよい。
【０１３１】
上述した実施形態において、１本の送受信アンテナによるＳＩＳＯ（Ｓｉｎｇｌｅ−Ｉｎｐｕｔ  Ｓｉｎｇｌｅ−Ｏｕｔｐｕｔ）が適用されているケースを想定していたが、かかるケースに限定されることはなく、複数本の送受信アンテナによるＭＩＭＯ（Ｍｕｌｔｉ−Ｉｎｐｕｔ  Ｍｕｌｔｉ−Ｏｕｔｐｕｔ）が適用されているケース等にも適用可能である。
【０１３２】
また、上述した実施形態において、３階層（Ａ階層、Ｂ階層、Ｃ階層）の階層伝送を行うケースを例に挙げて説明したが、かかるケースに限定されることなく、２階層（Ａ階層、Ｂ階層）の階層伝送を行うケースにも適用可能である。
【０１３３】
なお、送信装置１及び受信装置３によって行われる各処理をコンピュータに実行させるプログラムが提供されてもよい。また、送信装置１及び受信装置３のそれぞれは、半導体集積回路（チップ）として構成されてもよい。
【符号の説明】
【０１３４】
１          ：送信装置
３          ：受信装置
１１ａ      ：マッピング部
１１ｂ      ：マッピング部
１１ｃ      ：マッピング部
１２        ：調整帯域分離部
１３        ：時間インターリーブ部
１３ａ      ：時間インターリーブ部
１３ｂ      ：時間インターリーブ部
１３ｃ      ：時間インターリーブ部
１３ｄ      ：時間インターリーブ部
１４        ：階層内セグメント間インターリーブ部
１４ａ      ：階層内セグメント間インターリーブ部
１４ｂ      ：階層内セグメント間インターリーブ部
１４ｃ      ：階層内セグメント間インターリーブ部
１５        ：部分受信帯域分離部
１６ａ      ：階層間インターリーブ部
１６ｂ      ：階層間インターリーブ部
１７ａ      ：セグメント内インターリーブ部
１７ｂ      ：セグメント内インターリーブ部
１８        ：帯域合成部
１９        ：ＯＦＤＭフレーム構成部
２０        ：ＩＦＦＴ部
２１        ：送信部
２２        ：巡回シフトインターリーブ部
３１        ：受信部
３２        ：ＦＦＴ部
３３        ：デフレーム化部
３４        ：帯域分離部
３５ａ      ：セグメント内デインターリーブ部
３５ｂ      ：セグメント内デインターリーブ部
３６ａ      ：階層間デインターリーブ部
３６ｂ      ：階層間デインターリーブ部
３７        ：部分受信帯域合成部
３８        ：階層内セグメント間デインターリーブ部
３８ａ      ：階層内セグメント間デインターリーブ部
３８ｂ      ：階層内セグメント間デインターリーブ部
３８ｃ      ：階層内セグメント間デインターリーブ部
３９        ：時間デインターリーブ部
３９ａ      ：時間デインターリーブ部
３９ｂ      ：時間デインターリーブ部
３９ｃ      ：時間デインターリーブ部
３９ｄ      ：時間デインターリーブ部
４０        ：調整帯域合成部
４１ａ      ：デマッピング部
４１ｂ      ：デマッピング部
４１ｃ      ：デマッピング部
４２        ：巡回シフトデインターリーブ部
１６１      ：セグメント単位インターリーブ部
１６２      ：インターリーブテーブル切替部
１６３      ：インターリーブテーブル保持部
１６４      ：セグメント間インターリーブ部
１６５      ：インターリーブ切替部
３６１      ：セグメント単位デインターリーブ部
３６２      ：デインターリーブテーブル切替部
３６３      ：デインターリーブテーブル保持部
３６４      ：セグメント間デインターリーブ部
３６５      ：デインターリーブ切替部
【図１】
2019201407.tif 000003
【図２】
2019201407.tif 000004
【図３】
2019201407.tif 000005
【図４】
2019201407.tif 000006
【図５】
2019201407.tif 000007
【図６】
2019201407.tif 000008
【図７】
2019201407.tif 000009
【図８】
2019201407.tif 000010
【図９】
2019201407.tif 000011
【図１０】
2019201407.tif 000012
【図１１】
2019201407.tif 000013
【図１２】
2019201407.tif 000014
【図１３】
2019201407.tif 000015
【図１４】
2019201407.tif 000016
【図１５】
2019201407.tif 000017